【手続補正書】
【提出日】平成18年4月6日(2006.4.6)
【手続補正１】
【補正対象書類名】明細書
【補正対象項目名】特許請求の範囲
【補正方法】変更
【補正の内容】
【特許請求の範囲】
【請求項１】  以下の（１）または（２）の塩基配列の遺伝子を含むキメラ遺伝子：
（１）  下流方向に向けて、配列番号２の１４５〜５２２番目の塩基配列、図２（ａ）の１〜２９１番目の塩基配列、又は図３（ａ）の１〜３４５番目の塩基配列のいずれかを含むタンパクの転写活性化領域をコードする塩基配列；配列番号２の５２３〜１１４９番目の塩基配列、図２（ａ）の２９２〜９１２番目の塩基配列、又は図３（ａ）の３４６〜９７８番目の塩基配列のいずれかを含むタンパクのＤＮＡ結合領域をコードする塩基配列；及び配列番号２の１１５０〜１４８８番目の塩基配列、配列番号４の１１５０〜２０６７番目の塩基配列、図２（ａ）の９１３〜１１７９番目の塩基配列、図３（ａ）の９７９〜１９０８番目の配列、図４（ａ）の９７９〜１４９７番目の塩基配列、図５（ａ）の９７９〜１４２５番目の塩基配列、又は図６（ａ）の９７９〜１２０９番目の塩基配列のいずれかを含むタンパクのオリゴメリゼーション領域をコードする塩基配列を有する塩基配列（但し、上記転写活性化領域、ＤＮＡ結合領域及びオリゴメリゼーション領域の各領域がいずれも同一のタンパクに由来するものを除く）、又は
（２）  （１）の塩基配列を含むＤＮＡと０．１％ＳＤＳを含む０．２×ＳＳＣ中５０℃又は０．１％ＳＤＳを含む１×ＳＳＣ中６０℃のストリンジェントな条件でハイブリダイズする塩基配列を有し、且つ該遺伝子の発現物が転写活性能を有する。
【請求項２】  以下の（１）又は（２）のタンパクをコードするキメラ遺伝子：
（１）  下流方向に向けて、配列番号１の１〜５９番目のアミノ酸配列、図２（ｂ）の１〜４５番目のアミノ酸配列、又は図３（ｂ）の１〜５４番目のアミノ酸配列のいずれかのアミノ酸配列を含むタンパクの転写活性領域のアミノ酸配列；配列番号１の１４２〜３２１番目のアミノ酸配列、図２（ｂ）の１１３〜２９０番目のアミノ酸配列、図３（ｂ）の１３１〜３１０番目のアミノ酸配列のいずれかのアミノ酸配列を含むタンパクのＤＮＡ結合領域のアミノ酸配列；及び配列番号１の３５３〜３９７番目のアミノ酸配列、配列番号３の３５３〜６４１番目のアミノ酸配列、図２（ｂ）の３１９〜３６３番目のアミノ酸配列、図３（ｂ）の３４５〜６３６番目のアミノ酸配列、図４（ｂ）の３４５〜４９９番目のアミノ酸配列、図５（ｂ）の３４５〜４７５番目のアミノ酸配列、又は図６（ｂ）の３４５〜４０３番目のアミノ酸配列のいずれかのアミノ酸配列を含むタンパクのオリゴメリゼーション領域のアミノ酸配列を有するタンパク（但し、上記転写活性化領域、ＤＮＡ結合領域及びオリゴメリゼーション領域の各領域がいずれも同一のタンパクに由来するものを除く）、又は
（２）  （１）のアミノ酸配列において、１若しくは複数のアミノ酸が欠失・置換又は付加されたアミノ酸配列を有し、且つ転写活性能を有するタンパク（但し、上記転写活性化領域、ＤＮＡ結合領域及びオリゴメリゼーション領域の各領域がいずれも同一のタンパクに由来するものを除く）。
【請求項３】  請求項１又は２に記載の遺伝子を含有するベクター。
【請求項４】  請求項３に記載のベクターで形質転換された宿主細胞。
【請求項５】  請求項４に記載の宿主細胞から産生される組換タンパク。
【請求項６】  以下の（１）又は（２）に示すのタンパク：
（１）  下流方向に向けて、配列番号１の１〜５９番目のアミノ酸配列、図２（ｂ）の１〜４５番目のアミノ酸配列、又は図３（ｂ）の１〜５４番目のアミノ酸配列のいずれかのアミノ酸配列を含むタンパクの転写活性領域のアミノ酸配列；配列番号１の１４２〜３２１番目のアミノ酸配列、図２（ｂ）の１１３〜２９０番目のアミノ酸配列、図３（ｂ）の１３１〜３１０番目のアミノ酸配列のいずれかのアミノ酸配列を含むタンパクのＤＮＡ結合領域のアミノ酸配列；及び配列番号１の３５３〜３９７番目のアミノ酸配列、配列番号３の３５３〜６４１番目のアミノ酸配列、図２（ｂ）の３１９〜３６３番目のアミノ酸配列、図３（ｂ）の３４５〜６３６番目のアミノ酸配列、図４（ｂ）の３４５〜４９９番目のアミノ酸配列、図５（ｂ）の３４５〜４７５番目のアミノ酸配列、又は図６（ｂ）の３４５〜４０３番目のアミノ酸配列のいずれかのアミノ酸配列を含むタンパクのオリゴメリゼーション領域のアミノ酸配列を有するタンパク（但し、上記転写活性化領域、ＤＮＡ結合領域及びオリゴメリゼーション領域の各領域がいずれも同一のタンパクに由来するものを除く）、又は
（２）  （１）のアミノ酸配列において、１若しくは複数のアミノ酸が欠失・置換又は付加されたアミノ酸配列を有し、且つ転写活性能を有するタンパク（但し、上記転写活性化領域、ＤＮＡ結合領域及びオリゴメリゼーション領域の各領域がいずれも同一のタンパクに由来するものを除く）。
【請求項７】  以下の転写活性化領域、ＤＮＡ結合領域及びオリゴメリゼーション領域の各領域からなるアミノ酸配列のいずれかを含むことを特徴とする請求項６に記載のキメラタンパク：
下流方向に向けて、図２（ｂ）の１〜４５番目のアミノ酸配列、図２（ｂ）の１１３〜２９０番目のアミノ酸配列、及び配列番号１の３５３〜３９７番目のアミノ酸配列を含むタンパク；
下流方向に向けて、図２（ｂ）の１〜４５番目のアミノ酸配列、配列番号１の１４２〜３２１番目のアミノ酸配列、及び配列番号１の３５３〜３９７番目のアミノ酸配列を含むタンパク；
下流方向に向けて、図２（ｂ）の１〜４５番目のアミノ酸配列、配列番号１の１４２〜３２１番目のアミノ酸配列、及び図５（ｂ）の３４５〜４７５番目のアミノ酸配列を含むタンパク；
下流方向に向けて、図２（ｂ）の１〜４５番目のアミノ酸配列、図３（ｂ）の１３１〜３１０番目のアミノ酸配列、及び配列番号１の３５３〜３９７番目のアミノ酸配列を含むタンパク；
下流方向に向けて、図２（ｂ）の１〜４５番目のアミノ酸配列、図３（ｂ）の１３１〜３１０番目のアミノ酸配列、及び図５（ｂ）の３４５〜４７５番目のアミノ酸配列を含むタンパク;
下流方向に向けて、図３（ｂ）の１〜５４番目のアミノ案配列、図２（ｂ）の１１３〜２９０番目のアミノ酸配列、及び図２（ｂ）の３１９〜３６３番目のアミノ酸配列を含むタンパク；
下流方向に向けて、図３（ｂ）の１〜５４番目のアミノ酸配列、図２（ｂ）の１１３〜２９０番目のアミノ酸配列、及び配列番号１の３５３〜３９７番目のアミノ酸配列を含むタンパク；
下流方向に向けて、図３（ｂ）の１〜５４番目のアミノ酸配列、図２（ｂ）の１１３〜２９０番目のアミノ酸配列、及び図５（ｂ）の３４５〜４７５番目のアミノ酸配列を含むタンパク；及び
下流方向に向けて、図２（ｂ）の１〜４５番目のアミノ酸配列、図２（ｂ）の１１３〜２９０番目のアミノ酸配列、及び配列番号３の３５３〜６４１番目のアミノ酸配列を含むタンパク。
【請求項８】  以下の塩基配列のいずれかを含むキメラＤＮＡ：
下流方向に向けて、図２（ａ）の１〜２９１番目の塩基配列、図２（ａ）の２９２〜９１２番目の塩基配列、及び配列番号２の１１５０〜１４８８番目の塩基配列を含むキメラＤＮＡ；
下流方向に向けて、図２（ａ）の１〜２９１番目の塩基配列、配列番号２の５２３〜１１４９番目の塩基配列、及び配列番号２の１１５０〜１４８８番目の塩基配列を含むキメラＤＮＡ；
下流方向に向けて、図２（ａ）の１〜２９１番目の塩基配列、配列番号２の５２３〜１１４９番目の塩基配列、及び図５（ａ）の９７９〜１４２５番目の塩基配列を含むキメラＤＮＡ；
下流方向に向けて、図２（ａ）の１〜２９１番目の塩基配列、図３（ａ）の３４６〜９７８番目の塩基配列、及び配列番号２の１１５０〜１４８８番目の塩基配列を含むキメラＤＮＡ；
下流方向に向けて、図２（ａ）の１〜２９１番目の塩基配列、図３（ａ）の３４６〜９７８番目の塩基配列、及び図５（ｂ）の９７９〜１４２５番目の塩基配列を含むキメラＤＮＡ；
下流方向に向けて、図２（ａ）の１〜２９１番目の塩基配列、図２（ａ）の２９２〜９１２番目の塩基配列、及び配列番号３の１１５０〜２０６７番目の塩基配列を含むキメラＤＮＡ；
下流方向に向けて、図３（ａ）の１〜３４５番目の塩基配列、図２（ａ）の２９２〜９１２番目の塩基配列、及び図２（ａ）の９１３〜１１７９番目の塩基配列を含むキメラＤＮＡ；
下流方向に向けて、図３（ａ）の１〜３４５番目の塩基配列、図２（ａ）の２９２〜９１２番目の塩基配列、及び遺伝子番号２の１１５０〜１４８８番目の塩基配列を含むキメラＤＮＡ；及び
下流方向に向けて、図３（ａ）の１〜３４５番目の塩基配列、図２（ａ）の２９２〜９１２番目の塩基配列、及び図５（ａ）の９７９〜１４２５番目の塩基配列を含むキメラＤＮＡ。
【請求項９】  請求項８に記載のキメラＤＮＡを含有するベクター。
【請求項１０】  請求項９に記載のベクターで形質転換された宿主細胞。
【請求項１１】  請求項１０に記載の宿主細胞から産生される組換タンパク。
【手続補正２】
【補正対象書類名】明細書
【補正対象項目名】００４３
【補正方法】変更
【補正の内容】
【００４３】
【表１】
2000354488.tif 000001
ｐ５１Ａ、ｐ５１Ｂ、ｐ５３、ｐ７３α、ｐ７３β、ｐ７３γ及びｐ７３δの転写活性化領域、ＤＮＡ結合領域及びオリゴメリゼーション領域は、それぞれ配列番号１、３、図２（ｂ）、図３（ｂ）、図４（ｂ）、図５（ｂ）及び図６（ｂ）に示すアミノ酸配列に基づいて特定することができる。
【手続補正３】
【補正対象書類名】明細書
【補正対象項目名】００５２
【補正方法】変更
【補正の内容】
【００５２】
本発明のキメラ遺伝子のより具体的な態様を例示すれば、図２（ａ）に示される塩基配列において塩基番号１〜２９１で特定される塩基配列、配列番号２又は４に示される塩基配列において塩基番号１４５〜５２２で特定される塩基配列、または図３（ａ）、図４（ａ）、図５（ａ）及び図６（ａ）に示される塩基配列において塩基番号１〜３４５で特定される塩基配列のいずれかの塩基配列（転写活性化領域をコードする塩基配列）；
図２（ａ）に示される塩基配列において塩基番号２９２〜９１２で特定される塩基配列、配列番号２又は４に示される塩基配列において塩基番号５２３〜１１４９で特定される塩基配列、または図３（ａ）、図４（ａ）、図５（ａ）及び図６（ａ）に示される塩基配列において塩基番号３４６〜９７８で特定される塩基配列のいずれかの塩基配列（ＤＮＡ結合領域をコードする塩基配列）；
及び図２（ａ）に示される塩基配列において塩基番号９１３〜１１７９で特定される塩基配列、配列番号２に示される塩基配列において塩基番号１１５０〜１４８８で特定される塩基配列、配列番号４に示される塩基配列において塩基番号１１５０〜２０６７で特定される塩基配列、図３（ａ）に示される塩基配列において塩基番号９７９〜１９０８で特定される塩基配列、図４（ａ）に示される塩基配列において塩基番号９７９〜１４９７で特定される塩基配列、図５（ａ）に示される塩基配列において塩基番号９７９〜１４２５で特定される塩基配列または図６（ａ）に示される塩基配列において塩基番号９７９〜１２０９で特定される塩基配列のいずれかの塩基配列（オリゴメリゼーション領域をコードする塩基配列）を、下流方向に向かって順に連続的若しくは非連続的に有する遺伝子を例示することができる。但し、上記３つの各領域をコードする塩基配列がいずれも同一のｐ５３ファミリー遺伝子に由来するものは除外される。